【手続補正書】
【提出日】平成22年8月17日(2010.8.17)
【手続補正１】
【補正対象書類名】特許請求の範囲
【補正対象項目名】全文
【補正方法】変更
【補正の内容】
【特許請求の範囲】
【請求項１】
グループ分け情報を無線送受信ユニット（ＷＴＲＵ）のグループに信号で伝える方法であって、
無線リソースを前記グループに割り当てるステップと、
無線ベアラ割り当てを含む共通制御チャネルを介して、前記無線リソース割り当てを前記グループにおける前記ＷＴＲＵに信号で伝えるステップと
を備えたことを特徴とする方法。
【請求項２】
前記信号で伝えるステップは、ＷＴＲＵ識別子を信号で伝えるステップを含むことを特徴とする請求項１に記載の方法。
【請求項３】
前記信号で伝えるステップは、ハイブリッド自動再送要求情報を信号で伝えるステップを含むことを特徴とする請求項１に記載の方法。
【請求項４】
前記信号で伝えるステップは、ＷＴＲＵ識別子およびハイブリッド自動再送要求情報を信号で伝えるステップを含むことを特徴とする請求項１に記載の方法。
【請求項５】
グループ分け情報を無線送受信ユニット（ＷＴＲＵ）のグループに信号で伝える方法であって、
無線リソースを前記グループに割り当てるステップと、
リソース割り当てビットマップ、無線ベアラ割り当て、およびハイブリッド自動再送要求情報を含む無線リソース制御構成メッセージを送信することによって、前記無線リソース割り当てを前記グループにおける前記ＷＴＲＵに信号で伝えるステップと
を備えたことを特徴とする方法。
【請求項６】
前記構成メッセージは、前記リソース割り当てビットマップにおける特定のＷＴＲＵの位置をさらに含み、前記ＷＴＲＵはそれによって前記ビットマップ中のそのリソース割り当ての探索を行う場所を認識することを特徴とする請求項５に記載の方法。
【請求項７】
前記構成メッセージは、送信時間間隔情報をさらに含み、前記ＷＴＲＵはそれによって前記リソース割り当て情報を読み込む時期を認識することを特徴とする請求項５に記載の方法。
【請求項８】
ダウンリンク音声アクティビティレポートに基づいて、無線通信システムにおいてリソースを割り当てる方法であって、
無線送受信ユニット（ＷＴＲＵ）の音声起動状態遷移を検出するステップと、
ＮｏｄｅＢによって、無線リソースを無音の状態のＷＴＲＵから音声起動の状態のＷＴＲＵに割り当てるステップと、
前記新しい無線リソースの割り当てを前記ＮｏｄｅＢから前記ＮｏｄｅＢと通信するすべてのＷＴＲＵに信号で伝えるステップと
を備えたことを特徴とする方法。
【請求項９】
前記ＮｏｄｅＢは、Ｅｖｏｌｖｅｄ  ＵＴＲＡ  ＮｏｄｅＢであることを特徴とする請求項８に記載の方法。
【請求項１０】
前記ＮｏｄｅＢは、前記ＷＴＲＵの前記ダウンリンク音声アクティビティに基づいて、前記ＷＴＲＵのアップリンク音声アクティビティレベルを予測することを特徴とする請求項８に記載の方法。
【請求項１１】
前記ＮｏｄｅＢは、前記予測されたアップリンク音声アクティビティレベルに基づいて、前記ＷＴＲＵに割り付られた前記無線リソースを調整することを特徴とする請求項１０に記載の方法。
【請求項１２】
アップリンク音声アクティビティレポートに基づいて、無線通信システムにおいてリソースを割り当てるための方法であって、
無線送受信ユニット（ＷＴＲＵ）の音声起動状態遷移を検出するステップと、
前記ＷＴＲＵからの音声起動状態レポートをＮｏｄｅＢで受信するステップと、
前記ＮｏｄｅＢによって、無線リソースを、無音の状態のＷＴＲＵから音声起動の状態のＷＴＲＵに割り当てるステップと、
前記新しい無線リソースの割り当てを前記ＮｏｄｅＢから前記音声起動の状態の前記ＷＴＲＵに信号で伝えるステップと
を備えたことを特徴とする方法。
【請求項１３】
前記ＮｏｄｅＢは、Ｅｖｏｌｖｅｄ  ＵＴＲＡ  ＮｏｄｅＢであることを特徴とする請求項１２に記載の方法。
【請求項１４】
前記受信するステップは、前記ＷＴＲＵからの状態レポートを前記ＮｏｄｅＢで受信するステップを含むことを特徴とする請求項１２に記載の方法。
【請求項１５】
前記状態レポートは、前記ＷＴＲＵの前記音声起動状態を示す１ビットを含むことを特徴とする請求項１４に記載の方法。
【請求項１６】
前記状態レポートは、物理制御シグナリングによって前記ＮｏｄｅＢにおいて受信することを特徴とする請求項１４に記載の方法。
【請求項１７】
前記状態レポートは、アップリンク周期専用チャネルを介して前記ＮｏｄｅＢにおいて受信することを特徴とする請求項１４に記載の方法。
【請求項１８】
他のチャネルが使用できない場合、前記アップリンク周期専用チャネルを使用することを特徴とする請求項１７に記載の方法。
【請求項１９】
前記状態レポートは、同期ランダムアクセスチャネルを介して前記ＮｏｄｅＢにおいて受信することを特徴とする請求項１４に記載の方法。
【請求項２０】
前記状態レポートは、前記ＷＴＲＵから前記ＮｏｄｅＢに送信受信される最後のデータパケットと共に、前記ＮｏｄｅＢにおいて受信することを特徴とする請求項１４に記載の方法。
【請求項２１】
前記状態レポートは、媒体アクセス制御ヘッダーの一部として前記ＮｏｄｅＢにおいて受信することを特徴とする請求項１４に記載の方法。
【請求項２２】
前記状態レポートは、別のアップリンク層２パケットにピギーバックされて、前記ＮｏｄｅＢにおいて受信することを特徴とする請求項１４に記載の方法。
【請求項２３】
前記状態レポートは、媒体アクセス制御パケットで前記ＮｏｄｅＢにおいて受信することを特徴とする請求項１４に記載の方法。
【請求項２４】
前記状態レポートは、無線リンク制御状態レポートの一部として前記ＮｏｄｅＢにおいて受信することを特徴とする請求項１４に記載の方法。
【請求項２５】
前記状態レポートは、無線リソース制御シグナリングを使用して前記ＮｏｄｅＢにおいて受信することを特徴とする請求項１４に記載の方法。
【請求項２６】
前記状態レポートは、スケジューリング情報メッセージの一部として前記ＮｏｄｅＢにおいて受信することを特徴とする請求項１４に記載の方法。
【請求項２７】
前記状態レポートは、バッファサイズメッセージの一部として前記ＮｏｄｅＢにおいて受信することを特徴とする請求項１４に記載の方法。
【請求項２８】
前記状態レポートは、繰り返し符号を使用することによって保護され、前記状態レポートを誤って解釈する可能性が低減することを特徴とする請求項１４に記載の方法。
【請求項２９】
前記状態レポートは、巡回冗長検査を使用することによって保護され、前記状態レポートを誤って解釈する可能性は低減することを特徴とする請求項１４に記載の方法。
【請求項３０】
前記割り当てるステップは、前記ＷＴＲＵが前記無音の状態であることを示すときは、前記ＷＴＲＵが前記無線リソースを自動的に放棄するステップを含むことを特徴とする請求項１２に記載の方法。
【請求項３１】
前記割り当てるステップは、前記ＮｏｄｅＢが、前記無線リソースを解放するよう前記ＷＴＲＵに指示するリソース割り付け解除メッセージを前記ＷＴＲＵに送信するステップを含むことを特徴とする請求項１２に記載の方法。
【請求項３２】
前記割り付け解除メッセージは、前記ＷＴＲＵによって解放された前記無線リソースが前記第２のＷＴＲＵに割り付ける、第２のＷＴＲＵへの割り付けメッセージをさらに含むことを特徴とする請求項３１に記載の方法。
【請求項３３】
前記音声起動状態レポートを検証するステップをさらに備えたことを特徴とする請求項１２に記載の方法。
【請求項３４】
前記検証するステップは、
前記ＮｏｄｅＢで前記音声起動状態レポートを受信した後、タイマを開始するステップと、
前記タイマが期限切れになる前に、予期しないメッセージを前記ＷＴＲＵにおいて受信するかどうかを決定するステップと、予期しないメッセージを受信しなかった場合、
前記タイマが期限切れになる前に、新しいリソースの割り付けが前記ＷＴＲＵにおいて受信するかどうかを決定するステップと
を含むことを特徴とする請求項３３に記載の方法。
【請求項３５】
前記タイマが期限切れになった場合、エラーレポートを前記ＮｏｄｅＢにおいて受信することを特徴とする請求項３４に記載の方法。
【請求項３６】
前記ＮｏｄｅＢは、前記エラーレポートを受信すると、前記無線リソースを前記ＷＴＲＵにおける異なるサービスに割り当てることを特徴とする請求項３５に記載の方法。
【請求項３７】
前記ＮｏｄｅＢは、前記エラーレポートを受信すると、前記無線リソースを異なるＷＴＲＵに割り当てることを特徴とする請求項３５に記載の方法。
【請求項３８】
前記ＮｏｄｅＢは、前記タイマが期限切れになり前記ＷＴＲＵが前記無音の状態にある場合、前記無線リソースを前記ＷＴＲＵにおける異なるサービスに割り当てることを特徴とする請求項３４に記載の方法。
【請求項３９】
前記ＮｏｄｅＢは、前記タイマが期限切れになり前記ＷＴＲＵが前記無音の状態にある場合、前記無線リソースを異なるＷＴＲＵに割り当てることを特徴とする請求項３４に記載の方法。
【請求項４０】
前記ＮｏｄｅＢは、前記タイマが期限切れになり前記ＷＴＲＵが前記音声起動の状態にある場合、無線リソースを前記ＷＴＲＵに割り当てることを特徴とする請求項３４に記載の方法。
【請求項４１】
前記ＷＴＲＵが予期しないメッセージを受信した場合、エラーレポートを前記ＮｏｄｅＢにおいて受信することを特徴とする請求項３４に記載の方法。
【請求項４２】
前記ＮｏｄｅＢは、前記エラーレポートを受信すると、前記無線リソースを前記ＷＴＲＵにおける異なるサービスに割り当てることを特徴とする請求項４１に記載の方法。
【請求項４３】
前記ＮｏｄｅＢは、前記エラーレポートを受信すると、前記無線リソースを異なるＷＴＲＵに割り当てることを特徴とする請求項４１に記載の方法。
【請求項４４】
無線リソースを無線送受信ユニット（ＷＴＲＵ）のグループに割り当てるための方法であって、
複数のＷＴＲＵをグループ分けするステップと、
無線リソースを前記ＷＴＲＵのグループに割り当てるステップと、
変化する無線リソースブロック割り当てをランダム化し、それによって前記ＷＴＲＵの前記グループのうちの１つに前記同じ無線リソースブロックを割り当てることを回避するステップと、
前記無線リソースブロック割り当てを前記グループにおける前記ＷＴＲＵに信号で伝えるステップと
を備えたことを特徴とする方法。
【請求項４５】
前記同じ無線リソースブロックを割り当てることを回避するステップは、疑似ランダム関数を使用するステップを含むことを特徴とする請求項４４に記載の方法。
【請求項４６】
前記疑似ランダム関数は、無線リソースブロック番号によって繰り返されることを特徴とする請求項４５に記載の方法。
【請求項４７】
前記疑似ランダム関数は、フレーム番号によって繰り返されることを特徴とする請求項４５に記載の方法。
【請求項４８】
前記同じ無線リソースブロックを割り当てることを回避するステップは、既知のパターンの周波数ホッピングを使用するステップを含むことを特徴とする請求項４４に記載の方法。
【請求項４９】
前記同じ無線リソースブロックを割り当てることを回避するステップは、
チャネル品質を測定するステップと、
前記測定されたチャネル品質に基づいて、好適な無線リソースブロックを選択するステップと、
前記ＮｏｄｅＢで前記好適な無線リソースブロックのレポートを受信するステップと、
前記好適な無線リソースブロックを分析するステップと
を含むことを特徴とする請求項４４に記載の方法。
【請求項５０】
前記分析するステップは、セル負荷状態、干渉レベル、他のＷＴＲＵからのサービス要求、またはサービス優先度のうちの少なくとも１つの追加の要因を考慮に入れるステップを含むことを特徴とする請求項４９に記載の方法。
【請求項５１】
前記信号で伝えるステップは、複数ビットのシグナリングを使用するステップを含むことを特徴とする請求項４４に記載の方法。
【請求項５２】
前記複数ビットのシグナリングは、前記ＷＴＲＵの前記音声起動状態および前記無線リソースブロックの割り当てに関連する情報を含むことを特徴とする請求項５１に記載の方法。
【請求項５３】
前記複数ビットのシグナリングは、ハイブリッド自動再送要求識別子に関連する情報をさらに含むことを特徴とする請求項５２に記載の方法。
【請求項５４】
前記信号で伝えるステップは、共通制御チャネルを使用するステップを含むことを特徴とする請求項４４に記載の方法。
【請求項５５】
前記信号で伝えるステップは、専用制御チャネルを使用するステップを含むことを特徴とする請求項４４に記載の方法。
【請求項５６】
無線通信システムにおける音声ユーザ多重化のための方法であって、
複数の音声ユーザを１つのグループに割り当てるステップと、
前記グループの音声起動状態係数が統計的に平均の数値になるように、前記グループにおける前記音声ユーザを多重化するステップと
を備えたことを特徴とする方法。
【請求項５７】
前記多重化するステップは、あるセルにおける音声トラフィック量に基づいて、統計多重を行うステップを含むことを特徴とする請求項５６に記載の方法。
【請求項５８】
多重化されるべきユーザの数は、所望の音声起動状態係数を達成するための閾値に基づくことを特徴とする請求項５８に記載の方法。
【請求項５９】
多重化されるべきユーザの数は、音声トラフィック量に基づくことを特徴とする請求項５６に記載の方法。
【請求項６０】
多重化されるべきユーザの数は、チャネル品質に基づくことを特徴とする請求項５６に記載の方法。
【請求項６１】
あるグループにおける音声起動の状態のユーザの数が前記グループから使用可能な前記無線リソースを超える場合、異なるグループからの無線リソースをスケジューリングするステップをさらに備えたことを特徴とする請求項５６に記載の方法。
【請求項６２】
送受信機と、
前記送受信機に接続されているアンテナと、
前記送受信機と通信する音声起動状態遷移検出器であって、いつ音声起動の状態と無音の状態との間で遷移するかを検出し、在の音声起動状態を通信するＮｏｄｅＢに報告するよう構成されている音声起動状態遷移検出器と、
前記送受信機と通信する無線リソース割り当て受信機であって、無線リソース割り当て情報を受信するよう構成されている無線リソース割り当て受信機と、
前記音声起動状態遷移検出器および前記無線リソース割り当て受信機と通信するタイマであって、音声起動状態を変更した後、予め定められた期間を計時するよう構成されているタイマと、
前記タイマおよび前記送受信機と通信するタイマ満了ハンドラであって、前記タイマが期限切れになると、動作を実行するよう構成されているタイマ満了ハンドラと、
前記送受信機と通信し、前記タイマが開始された後、予期しないメッセージを受信した場合、動作を実行するよう構成されているメッセージハンドラと
を備えたことを特徴とする無線送受信ユニット（ＷＴＲＵ）。
【請求項６３】
前記タイマ満了ハンドラは、前記タイマが期限切れになった後、エラーレポートを前記ＮｏｄｅＢに送信するよう構成されていることを特徴とする請求項６２に記載のＷＴＲＵ。
【請求項６４】
前記タイマ満了ハンドラは、前記タイマが期限切れになった後、前記音声起動状態を前記ＮｏｄｅＢに再送するよう構成されていることを特徴とする請求項６２に記載のＷＴＲＵ。
【請求項６５】
前記メッセージハンドラは、前記タイマが開始された後、予期しないメッセージを受信した場合、エラーレポートを前記ＮｏｄｅＢに送信するよう構成されていることを特徴とする請求項６２に記載のＷＴＲＵ。
【請求項６６】
前記メッセージハンドラは、前記タイマが開始された後、予期しないメッセージを受信した場合、前記音声起動状態を前記ＮｏｄｅＢに再送するよう構成されていることを特徴とする請求項６２に記載のＷＴＲＵ。
【請求項６７】
送受信機と、
前記送受信機に接続されているアンテナと、
前記送受信機と通信する音声起動状態遷移検出器であって、無線送受信ユニット（ＷＴＲＵ）がいつ音声起動の状態と無音の状態との間で遷移するかを検出するよう構成されている音声起動状態遷移検出器と、
前記送受信機および前記音声起動状態遷移検出器と通信し、前記ＷＴＲＵの現在の音声起動状態に基づいて無線リソースを割り当てるよう構成されている無線リソース割り当て装置と、
前記送受信機および前記無線リソース割り当て装置と通信し、前記ＷＴＲＵから前記ＮｏｄｅＢによって受信したエラーを処理するよう構成されているエラーレポートハンドラと
を備えたことを特徴とするＮｏｄｅＢ。
【請求項６８】
前記無線リソース割り当て装置は、受信したエラーレポートに基づいて無線リソースを割り当てるようさらに構成されていることを特徴とする請求項６７に記載のＮｏｄｅＢ。
【請求項６９】
前記無線リソース割り当て装置は、無線リソースを前記無音の状態のＷＴＲＵから前記音声起動の状態のＷＴＲＵに割り当てるよう構成されていることを特徴とする請求項６７に記載のＮｏｄｅＢ。
【請求項７０】
前記無線リソース割り当て装置は、無線リソースを前記同じＷＴＲＵにおける異なるサービスに割り当てるよう構成されていることを特徴とする請求項６７に記載のＮｏｄｅＢ。
【請求項７１】
前記無線リソース割り当て装置は、無線リソースを異なるＷＴＲＵに割り当てるよう構成されていることを特徴とする請求項６７に記載のＮｏｄｅＢ。
【請求項７２】
前記エラーレポートハンドラは、前記無線リソース割り当て装置に前記受信されたエラーレポートを通知するよう構成されていることを特徴とする請求項６７に記載のＮｏｄｅＢ。